(57)【要約】【課題】マイナスイオンを発生させることに適したマイナスイオン発生板１、マイナスイオン発生板１を使用した家具、住宅、発酵促進器７及び食品保存器７を提供する。【解決手段】  炭素を塗料に混ぜて、ケイ酸カルシウム板１ａの片面に塗布することにより炭素塗膜面１ｂを設け、炭素塗膜面１ｂに導電性の部材からなるマイナス極２とプラス極３を設け、マイナス極２とプラス極３を直流電源４に繋いでマイナスイオン発生板１とする。さらにマイナスイオン発生板１を使用した衝立５、行灯６、発酵促進器７又は食品保存器７とする。【選択図】図１
2010277939.tif 000002
【特許請求の範囲】
【請求項１】
ケイ酸カルシウム板の片面に炭素の粉末を添加した塗料を塗布することにより炭素塗膜面を設け、前記炭素塗膜面にマイナス極とプラス極を設け、前記マイナス極と前記プラス極を直流電源に繋いだことを特徴とするマイナスイオン発生板。
【請求項２】
請求項１に記載したマイナスイオン発生板であって、直流電源の電圧が１２Ｖであることを特徴とするマイナスイオン発生板。
【請求項３】
請求項１又は請求項２のいずれかに記載したマイナスイオン発生板を使用した家具又は照明器具。
【請求項４】
請求項１又は請求項２のいずれかに記載したマイナスイオン発生板を壁、間仕切り、床、天井、扉、障子のいずれかに使用したことを特徴とする住宅、集合住宅又は集合住宅の区分住居。
【請求項５】
請求項１又は請求項２のいずれかに記載したマイナスイオン発生板を使用した発酵促進器又は食品保存器。
【発明の詳細な説明】
【技術分野】
【０００１】
本発明は、電子親和力が高く電子を豊富に含む炭素を塗料に混ぜて、ケイ酸カルシウム板の片面に塗布することにより炭素塗膜面を設け、炭素塗膜面に電圧をかけることにより電子を放出させる、マイナスイオン発生板に関するものである。
【背景技術】
【０００２】
生活環境においてマイナスイオンが優勢でプラスイオンが少ないときには、毛細血管が拡張し、血圧が下降し、利尿作用が促進し、疲労回復力が著しく増加する効果や、不眠や頭痛や不快感を解消して食欲を増進するなど、人体に対して好ましい生物的効果が得られると言われている。
従来からマイナスイオンの発生器として、コロナ放電の電離作用を利用したものがあった（例えば、特許文献１〜３参照。）。コロナ放電ではプラス電極とマイナス電極を近づけて高い電圧をかけ、電極間にある空気の絶縁を破壊して放電させている。コロナ放電によるとプラスイオンとマイナスイオンが同量発生するが、発生したマイナスイオンだけを取り出す方法も、プラスイオンだけを消去する方法もないため、プラスイオンによって空気中の窒素が酸化されて窒素酸化物ができる問題と、これに伴ってオゾンが発生する問題があった（藤野薫著、マイナスイオンハンドブック、第３刷、せせらぎ出版、Ｐ．１０１−１０２より引用。）。
また水滴の分裂・破断に伴って、微細な水滴から電子が空気中に放出され、空気中の気体分子（特に酸素分子）に取り込まれて、マイナスイオンを生成する現象であるレーナルト効果が知られているが、レーナルト効果が得られるのは落差が５０ｍ以上の滝に限られ、我々の生活環境にある水道から落下する水や噴水などでは電子を放出させるエネルギーに達せず、レーナルト効果は生じない（例えば、非特許文献１参照。）。
【先行技術文献】
【特許文献】
【０００３】
【特許文献１】特開２００３−１７８８５４号公報
【特許文献２】特開２００５−  ６３７１４号公報
【特許文献３】特開２００８−  ４７３２４号公報
【非特許文献】
【０００４】
【非特許文献１】藤野薫、「マイナスイオンハンドブック」、第３刷、せせらぎ出版、２００４年５月２０日、Ｐ．３６−３８
【発明の概要】
【発明が解決しようとする課題】
【０００５】
電子を空気中に飛び出させることにより、電子が空気中の酸素分子に吸着されるようにして、空気中の酸素分子がマイナスイオン化して核イオンとなり、核イオンに対して空気中にある酸の分子（硝酸、炭酸、硫酸）が結合し、さらに水分子が結合した初期マイナスイオンを発生させることに適した、マイナスイオン発生板を提供する。
【課題を解決するための手段】
【０００６】
炭素を塗料に混ぜて、ケイ酸カルシウム板の片面に塗布することにより炭素塗膜面を設け、炭素塗膜面に導電性の部材からなるマイナス極とプラス極を設けて直流電源に繋いだマイナスイオン発生板とする。
またマイナスイオン発生板を使用した家具、照明器具、住宅、集合住宅又は集合住宅の区分住居、さらにマイナスイオン発生板を使用した発酵促進器及び食品保存器とする。
【発明の効果】
【０００７】
電子親和力が高く電子を豊富に含む炭素塗膜面から、ケイ酸カルシウム板を通過して空気中に電子を飛び出させることに適した、単純で安価なマイナスイオン発生板を提供することができた。
またマイナスイオン発生板を使用した家具、照明器具、住宅、集合住宅又は集合住宅の区分住居としたので、住む人の不眠や頭痛や不快感を解消して食欲を増進するなど、人体に対して好ましい生物的効果が得られる生活環境を提供することができた。
さらに、食物の発酵を促進することに適した発酵促進器や食品の鮮度を維持することに適した食品保存器を提供することができた。
【図面の簡単な説明】
【０００８】
【図１】マイナスイオン発生板の構成図である。
【図２】衝立の斜視図である。
【図３】衝立を部屋に置いた場合における測定データ図である。
【図４】行灯の斜視図である。
【図５】発酵促進器及び食品保存器の斜視図である。
【図６】通常状態の測定データ図である。
【図７】石膏ボードに炭素塗膜面を設けた場合の測定データ図である。
【発明を実施するための形態】
【０００９】
ケイ酸カルシウム板の片面に炭素の粉末を添加した塗料を塗布することにより炭素塗膜面を設ける。そして炭素塗膜面にマイナス極とプラス極を設け、マイナス極とプラス極を直流電源に繋いでマイナスイオン発生板とする。
このようにすると、マイナス極からプラス極に向かって電子が進み電流が流れるが、炭素塗膜面は全体がマイナス電圧となり、炭素塗膜の中の電子はマイナス電圧に反発して、加速しながらケイ酸カルシウム板に向かって進み、ケイ酸カルシウム板を通過して大気に飛び出す。
大気は窒素が約８０％を締め酸素は約２０％しかないが、酸素の電子親和力は窒素の電子親和力に比べて約２５倍あるため、マイナスイオン発生板から飛び出した電子のほとんどが酸素分子に吸着されて、中性の酸素分子が負電荷を帯びて核イオンと呼ばれるマイナスイオンとなり、核イオンに空気中にある酸の分子（硝酸、炭酸、硫酸）が結合し、さらに水分子が結合して初期イオンと呼ばれるマイナスイオンとなる（藤野薫著、マイナスイオンハンドブック、第３刷、せせらぎ出版、Ｐ．４２〜４５より引用。）。
上記したマイナスイオン発生板であって、直流電源の電圧を１２Ｖとしたマイナスイオン発生板とする。実験の結果１２Ｖの電圧をかけることが好ましかったからである。
【００１０】
マイナスイオン発生板を使用した家具又は照明器具とする。マイナスイオン発生板において炭素塗膜面に対して反対側の面を反塗膜面とし、反塗膜面が人に向くようにしてマイナスイオン発生板を使用することが好ましい。マイナスイオンは炭素塗膜面から反塗膜面に向かって飛び出すと考えられるからである。例えば机、テーブル、椅子、箪笥、食器棚、鏡、本棚、障子などの家具や、室内灯や行灯などの照明器具の板材として使用することが好ましい。
上記したマイナスイオン発生板を壁、間仕切り、床、天井、扉、障子のいずれかに使用した住宅、集合住宅又は集合住宅の区分住居とする。この場合は反塗膜面が人に向くようにしてマイナスイオン発生板を使用することが好ましい。マイナスイオンは炭素塗膜面から反塗膜面に向かって飛び出すと考えられるからである。
マイナスイオン発生板を居住空間に置くと、マイナスイオンの豊富な環境を提供することができる。そしてマイナスイオンの豊富な環境に暮らす人には、毛細血管が拡張し、血圧が下降し、利尿作用が促進し、疲労回復力が著しく増加する効果や、不眠や頭痛や不快感を解消して食欲を増進するなど、好ましい生物的効果が得られる。
上記したマイナスイオン発生板を使用した発酵促進器又は食品保存器とする。この場合は反塗膜面を内側にし炭素塗膜面を外側にしてマイナスイオン発生板を使用することが好ましい。マイナスイオンは炭素塗膜面から反塗膜面に向かって飛び出すと考えられるからである。また発酵促進器とする場合は中の温度を適温に保つための温度調節を取り付けることが好ましい。
【実施例１】
【００１１】
マイナスイオン発生板の構成図を図１に示し説明する。マイナスイオン発生板１はケイ酸カルシウム板１ａの片面に炭の粉末を添加した塗料を塗布して炭素塗膜面１ｂとし、炭素塗膜面１ｂの反対側の面を反塗膜面１ｃとしたものである。
炭の粉末を添加した塗料としては、日の丸カーボテクノ株式会社（住所、広島県三次市太田幸町２４２７番地の１）が製造販売する商品名「Ｃｈａｃｏ  Ｐａｉｎｔ」を使用した。また炭素塗膜面１ｂに導電性材料からなるプラス極２とマイナス極３を設けて、直流電源４に繋いだ。直流電源４は１００Ｖの交流電源を１２Ｖに変圧し、ブリッジ形整流回路により直流にしたものである。
さらに実施例１の衝立を図２に示すが、衝立５は９００×９００ｍｍのケイ酸カルシウム板１ａを使用し、マイナスイオン発生板１に台５ａ取り付けたものである。実施例１の衝立５を部屋に置いたときのイオン測定データを図３に示し説明する。
比較のため何も置かない通常の状態のイオン測定データを図６に示し、９００×９００ｍｍの石膏ボードの片面に炭素塗膜面を施し、プラス電極とマイナス電極を設けて１２Ｖの直流電源に繋いで部屋に置いた場合の測定データを図７に示す。
【００１２】
実験当日の気温は摂氏３３．０〜３３．４度、湿度は２８〜２９％であった。測定にはコムシステム株式会社（住所、〒１９６−０００３、東京都昭島市松原町２−３−１７、橋本ビル、電話０４２−５４３−９０６２）の空気イオンカウンター、ＭＯＤＥＬ：ＣＯＭ−３８００を使用した。測定値はいずれも空気１ｃｃの中にあるイオンの個数である。
実験時の通常の状態を測定した図６のデータは、マイナスイオンが平均値で２６２個、プラスイオンは平均値で１０９個であったので、当日は平均値において１５３個マイナスイオンが多かったことになる。マイナスイオンの個数からプラスイオンの個数を引いた値をマイナスイオン優位個数とすれば、通常の場合のマイナスイオン優位個数は１５３個である。
また石膏ボードに炭素塗膜面を施し、プラス電極とマイナス電極を設けて１２Ｖの直流電源に繋ぎ、部屋に置いて測定した図７のデータは、マイナスイオンが平均値で２７２個、プラスイオンが平均値で１４１個であったので、平均値で１３１個マイナスイオンが多い結果となった。この場合のマイナスイオン優位個数は１３１個である。
これに対して実施例１の衝立５を部屋に置いて測定した図３のデータは、マイナスイオンが平均値で３２９個、プラスイオンが平均値で１０９個であったので、平均値で２２０個マイナスイオンが多い結果となった。この場合のマイナスイオン優位個数は２２０個である。
本実験の結果、石膏ボードに炭素塗膜面を設けたものは通常の状態に比べて、マイナスイオン優位個数は２２個減少してしまったが、実施例１の衝立５を部屋に置くことにより通常の状態に比べてマイナスイオン優位個数が６７個増加する効果が確認できた。
【実施例２】
【００１３】
行灯の実施例を図４に示し説明する。実施例２の行灯６は人のいる側となる外に向かってマイナスイオンを飛び出させるため、マイナスイオン発生板１の炭素塗膜面１ｂを内側にし、反塗膜面１ｃを外側にして箱状のケースとし、複数個の穴６ａを明けて反塗膜面１に和紙６ｂを貼り、中に電灯を取り付けたものである。
各マイナスイオン発生板１の炭素塗膜面１ｂを互いに接触させ、各面の炭素塗膜面１ｂ同士を導通させたので、プラス電極２とマイナス電極３及び直流電源４は１組み取り付けただけである。
【実施例３】
【００１４】
発酵促進器及び食品保存器の実施例を図５に示し説明する。実施例３の発酵促進器７（食品保存器７）は箱の中に向かってマイナスイオンを飛び出させるため、マイナスイオン発生板１の反塗膜面１ｃを内側にし、炭素塗膜面１ｂを外側にした箱とし、上面に蓋７ａを取り付けた。
また各マイナスイオン発生板１の炭素塗膜面１ｂを互いに接触させ、各面の炭素塗膜面１ｂ同士を導通させたので、プラス電極２とマイナス電極３及び直流電源４は１組取り付けただけである。
発酵促進器７として使用する実験として、発酵促進器７中に市販の牛乳を入れ、また発酵促進器７の中に電灯を入れて中の温度を３９〜４０度に保った。実験結果によると５日の間に牛乳がヨーグルトになった。マイナスイオン環境において発酵分解作用が促進された効果と考えられる。
また食品保存器７として使用する場合の比較実験として、食品保存器７と普通の箱にそれぞれ８個の苺を保存させ、冷蔵庫に入れて７日経過後に取り出した。比較実験の結果によると、保存器７に保存させた苺は全く傷んでなかったが、普通の箱に保存させた苺は全部に痛みが出て食べられなかった。
さらに食品保存器７として使用する場合の比較実験として、食品保存器７と普通の箱にそれぞれマグロの切り身を保存させ、冷蔵庫に入れて７日経過後に取り出した。実験結果によると、食品保存器７に保存させたマグロはほとんど変化しなかったが、普通の箱に保存させたマグロは色が真っ黒に変化して乾涸らびた状態となっていた。
以上のことから実施例３の発酵促進器７は食品の発酵を促進させる用途に有用であり、また食品保存器７は傷みやすい食品を保存する用途に有用であることが確認できた。
【産業上の利用可能性】
【００１５】
本発明はマイナスイオン発生板、家具、照明器具、発酵促進器及び食品保存器を製造販売する産業や、住宅やマンションなどを建築、販売及び賃貸する産業だけでなく、食品を製造販売する産業や食品の流通産業などでも利用することができる。
【符号の説明】
【００１６】
１  ：マイナスイオン発生板      １ａ：ケイ酸カルシウム板    １ｂ：炭素塗膜面
１ｃ：反塗膜面                  ２  ：プラス極              ３  ：マイナス極    ４  ：直流電源                  ５  ：衝立                  ５ａ：台
６  ：行灯                      ６ａ：穴                    ６ｂ：和紙
７  ：発酵促進器（食品保存器）  ７ａ：蓋
【図１】
2010277939.tif 000003
【図２】
2010277939.tif 000004
【図３】
2010277939.tif 000005
【図４】
2010277939.tif 000006
【図５】
2010277939.tif 000007
【図６】
2010277939.tif 000008
【図７】
2010277939.tif 000009